(57)【要約】【課題】精米処理した後の白米、玄米、あるいは豆類等の穀粒のうち、変色等した不良で不要なものを取り除き良品のみを装置の利用者に提供することができる自動穀粒選別装置を得る。【解決手段】自動穀粒選別装置１０では、操作室１２Ａに張込みホツパ１４が設けられており、また、機械室１２Ｂには色彩選別機３８が配置されている。色彩選別機３８は、投入された白米Ｈが不良品であるか否か又はこの白米Ｈ群に不良品が含まれるか否かを判定して選別することができ、良品とされた白米Ｈのみが集積タンク２６へ送り出されて袋２７に集積され、装置の利用者に提供される。したがって、装置の利用者のニーズに適切に対応することができる。【選択図】        図１
2004181271.tif 000002
【特許請求の範囲】
【請求項１】
穀粒を張り込むための張り込みホッパと、
装置内に投入されたコインまたは挿入されたプリペイドカードに応じて所定時間作動することにより、前記張り込みホッパに張り込まれた前記穀粒を受け取って当該穀粒が不良品であるか否か又は前記穀粒群に不良品が含まれるか否かを判定して選別する色彩選別機と、
を備えたことを特徴とする自動穀粒選別装置。
【請求項２】
精米処理された後の白米を張り込むための張り込みホッパと、
装置内に投入されたコインまたは挿入されたプリペイドカードに応じて所定時間作動することにより、前記張り込みホッパに張り込まれた前記白米を受け取って当該白米が不良品であるか否か又は前記白米群に不良品が含まれるか否かを判定して選別する色彩選別機と、
を備えたことを特徴とする自動穀粒選別装置。
【請求項３】
装置内に投入された米粒を精米処理する精米装置に、隣接して設置した、
ことを特徴とする請求項２記載の自動穀粒選別装置。
【発明の詳細な説明】
【０００１】
【発明の属する技術分野】
本発明は自動穀粒選別装置に関する。
【０００２】
【従来の技術】
投入されたコインに応じて作動し、投入された米粒（玄米あるいは籾）を白米に処理するコイン精米装置が知られており、さらに、コインのみならず挿入されたプリペイドカードに応じても作動する自動精米装置も提案されている。
【０００３】
このような従来の自動精米装置では、機体の内部には精白ロールを備えた精米機が配置されている。また、機体の前面壁には米粒が投入される張込みホツパが設けられており、張込みホツパは昇降機等の搬送機器を介して精米機に連結されている。さらに機体の前面壁には、コイン投入部及びカード挿入部が設けられており、コインを投入できると共にカードが挿入できる。
【０００４】
この自動精米装置では、張込みホツパへ米粒を投入すると共に、コイン投入部へ所定枚数のコインを投入し、またはカード挿入部へプリペイドカードを挿入し、次いで運転スイツチを操作すると、投入された米粒が昇降機等によって搬送されて精米機へ供給され、さらに精米機の精白ロールが回転して精米処理され白米となって取り出される。この自動精米装置の運転は、投入されたコインの金額または挿入されたプリペイドカードの度数に応じた時間で行なわれる。
【０００５】
このように、従来の自動精米装置は、投入されたコインまたは挿入されたプリペイドカードに応じて自動的に精米処理して白米にできる。
【０００６】
なお、コインのみで作動する自動精米装置、プリペイドカードのみで作動する自動精米装置もある。
【０００７】
ところで、このようなコインあるいはプリペイドカードを用いて運転できる自動精米装置では、投入された米粒を精米処理して白米として取り出すことができるが、処理された白米の中には、例えば天候や虫の害により茶色・黒色等に変色した米が混在（混入）している場合があり、当該装置の利用者はこのような変色した白米（所謂、不良品）は不要で取り除きたい（不良な白米を除去し良品としての白米のみを得たい）というニーズがある。
【０００８】
この場合、一般家庭においては、すなわち当該装置の利用者においては、白米として良品であるかあるいは変色等した不良品であるかを判別（選別）して当該不良品を取り除くことは困難であり、このための対策が切望されていた。
【０００９】
またさらに、前述の如き白米においてのみならず、玄米や大豆等の豆類においても、不良品を除去し良品のみを得たいという同様なニーズがあり、そのための対策が切望されていた。
【００１０】
【発明が解決しようとする課題】
本発明は上記事実を考慮し、精米処理した後の白米、玄米、あるいは豆類等の穀粒のうち変色等した不良で不要なものを取り除き良品のみを装置の利用者に提供することができる自動穀粒選別装置を得ることが目的である。
【００１１】
【課題を解決するための手段】
請求項１に係る発明の自動穀粒選別装置は、穀粒を張り込むための張り込みホッパと、装置内に投入されたコインまたは挿入されたプリペイドカードに応じて所定時間作動することにより、前記張り込みホッパに張り込まれた前記穀粒を受け取って当該穀粒が不良品であるか否か又は前記穀粒群に不良品が含まれるか否かを判定して選別する色彩選別機と、を備えたことを特徴としている。
【００１２】
請求項１記載の自動穀粒選別装置では、選別したい穀粒（例えば、玄米、精米処理された後の白米、あるいは、大豆等の豆類）は、張り込みホッパに張り込まれ、さらに、色彩選別機によって、不良品であるか否か又は穀粒群に不良品が含まれるか否かが判定されて選別される。選別された良品としての穀粒のみが装置外へ取り出され、装置の利用者に提供される。
【００１３】
このように、請求項１記載の自動穀粒選別装置では、不良な穀粒を除去し良品のみを得たいという装置の利用者のニーズに対応することができる。
【００１４】
請求項２に係る発明の自動穀粒選別装置は、精米処理された後の白米を張り込むための張り込みホッパと、装置内に投入されたコインまたは挿入されたプリペイドカードに応じて所定時間作動することにより、前記張り込みホッパに張り込まれた前記白米を受け取って当該白米が不良品であるか否か又は前記白米群に不良品が含まれるか否かを判定して選別する色彩選別機と、を備えたことを特徴としている。
【００１５】
請求項２記載の自動穀粒選別装置では、選別したい精米処理された後の白米は張り込みホッパに張り込まれ、さらに、色彩選別機によって、白米として不良品であるか否か又は白米群に不良品が含まれるか否かが判定されて選別される。選別された良品としての白米のみが装置外へ取り出され、装置の利用者に提供される。
【００１６】
このように、請求項２記載の自動穀粒選別装置では、不良な白米を除去し良品としての白米のみを得たいという装置の利用者のニーズに対応することができる。
【００１７】
なお、色彩選別機としては種々の型式のものが適用可能であるが、精米処理後の白米が不良品であるか否かの判定及び不良品の選別を高い精度で行うためには、白米を一次選別（粗選別）した後にさらに二次選別（精選別）して処理する構成の色彩選別機（例えば、本出願人が既に提案している、特開平９−１２２６０６号公報、特開平１１−４７６９７号公報等に示したもの）が好適である。
【００１８】
請求項３に係る発明の自動穀粒選別装置は、請求項２記載の自動穀粒選別装置において、装置内に投入された米粒を精米処理する精米装置に、隣接して設置した、ことを特徴としている。
【００１９】
請求項３記載の自動穀粒選別装置では、米粒（籾あるいは玄米）を精米処理する精米装置に隣接して設置されているため、籾あるいは玄米を持ち込んだ利用者であってもその場で直ちに精米処理して白米とし、しかる後に直ちに当該白米が不良品であるか否か又は白米群に不良品が含まれるか否かを判定して選別し、良品としての白米のみを得ることができる。
【００２０】
このように、請求項３記載の自動穀粒選別装置では、装置の利用者のニーズに一層広範囲に対応することができる。
【００２１】
【実施の形態】
図１には本発明の第１の実施の形態に係る自動穀粒選別装置１０の概略全体構成図が示されている。
【００２２】
自動穀粒選別装置１０は、操作室１２Ａと機械室１２Ｂから成る屋外用建物１２を備えている。操作室１２Ａの前面壁に、精米された白米Ｈ（装置の利用者が選別したい不良なものも含む籾米あるいは玄米をそのまま精米したもの）が投入される張込みホツパ１４が操作室１２Ａに露出する状態で設けられている。張込みホツパ１４は米粒搬送用のスクリユウコンベア１５を内蔵しており、張込みホツパ１４へ投入され前記白米Ｈはスクリユウコンベア１５によって機械室１２Ｂの内部へ搬送供給できる。
【００２３】
一方、機械室１２Ｂの内部には、スクリユウコンベア１５の終端部に対応して色彩選別機３８が配置されている。この色彩選別機３８は、スクリユウコンベア１５によって搬送供給された前記白米Ｈを受け取り、当該白米Ｈが不良品であるか否か又はこの白米Ｈ群に不良品が含まれるか否かを判定して選別することができる。
【００２４】
なお、色彩選別機３８としては種々の型式のものが適用可能であるが、精米処理後の白米Ｈが不良品であるか否かの判定及び不良品の選別を高い精度で行うためには、白米Ｈを一次選別（粗選別）した後にさらに二次選別（精選別）して処理する構成の色彩選別機（例えば、本出願人が既に提案している、特開平９−１２２６０６号公報、特開平１１−４７６９７号公報等に示したもの）が好適である。
【００２５】
また、この色彩選別機３８によって不良品として選別された白米Ｈは、色彩選別機３８の側方に配置された不良米袋４０に回収されて集積される。この不良米袋４０は自由に取り替えることが可能である。
【００２６】
また一方、色彩選別機３８の良品とされた白米Ｈの放出口３８Ａに対応して、昇降機４２が立設されている。昇降機４２は、色彩選別機３８の放出口３８Ａから取り出される良品としての白米Ｈを、機械室１２Ｂの上部へ持ち上げ搬送できる。
【００２７】
また、昇降機４２の上端部に設けられた放出口４２Ａに対応した操作室１２Ａの前面壁には、集積タンク２６が操作室１２Ａに露出する状態で配置されており、精米処理及び選別処理後の良品としての白米Ｈを袋２７に集積できる。
【００２８】
一方、操作室１２Ａの前面壁の張込みホツパ１４の上方には操作パネル２８が配置されている。図２に示す如く、操作パネル２８にはコイン金額識別部３０及びカード度数識別部３２が設けられている。コイン金額識別部３０では、操作パネル２８に開口する投入口３４が設けられており、所定のコイン（例えば、１００円硬貨）が投入でき、これを識別可能である。一方、カード度数識別部３２では、操作パネル２８に開口する挿入口３６が設けられており、所定のカード（例えば、所謂クローズド型のプリペイドカード）が挿入でき、これを識別可能である。これらのコイン金額識別部３０及びカード度数識別部３２は後述する制御装置５０に接続されている。
【００２９】
図３には制御装置５０の概略構成が示されている。制御装置５０は、中央処理装置（ＣＰＵ）５２、リードオンリメモリ（ＲＯＭ）５４、ランダムアクセスメモリ（ＲＡＭ）５６、入力ポート５８、出力ポート６０を含んで構成されている。入力ポート５８には前述のコイン金額識別部３０及びカード度数識別部３２が接続されている。一方、出力ポート６０には、張込みホツパ１４のスクリユウコンベア１５、色彩選別機３８、及び昇降機４２の各駆動モータがそれぞれ接続されている。また、ＲＯＭ５４には、自動穀粒選別装置１０の満了作動時間の所定の値および所定の運転プログラムが記憶されており、この運転プログラムに従ってＣＰＵ５２が前記各駆動部を制御する。
【００３０】
以上の構成の自動穀粒選別装置１０は、図４に示す如く、コイン精米所７０の側方に隣接し独立して設置されている。
【００３１】
コイン精米所７０は、図示は省略するが、建屋内に機械室及び操作室が設けられている。機械室内には籾摺機及び精米機が配置されており、また、操作室内には米粒を投入するための供給ホッパ及び操作盤が設けられている。
【００３２】
このコイン精米所７０を利用する際には、供給ホッパへ米粒（籾または玄米）を投入すると共に操作盤を操作すると、投入された米粒が籾の場合はそのまま籾摺機へ供給されて籾摺り処理された後に、精米機で精米処理され白米となって取り出される。一方、処理する（供給ホッパへ投入した）米粒が玄米の場合には、直接精米機へ供給され、同様に精米処理され白米となって取り出される。
【００３３】
次に本第１の実施の形態の作用を説明する。
【００３４】
上記構成の自動穀粒選別装置１０を利用する際には、コインをコイン金額識別部３０の投入口３４へ投入するか、カードをカード度数識別部３２の挿入口３６へ挿入すると共に、張込みホツパ１４へ白米Ｈ（装置の利用者が選別したい不良なものも含む籾米あるいは玄米をそのまま精米したもの）を投入する。次いで、運転スイツチ（スタートボタン）を操作すると、張込みホツパ１４のスクリユウコンベア１５、色彩選別機３８、及び昇降機４２の各駆動モータが作動されて運転が開始される。
【００３５】
運転が開始されると、張込みホツパ１４へ投入された前記白米Ｈは、スクリユウコンベア１５によって色彩選別機３８へ供給され、この色彩選別機３８によって、当該白米Ｈが不良品であるか否か又はこの白米Ｈ群に不良品が含まれるか否かが判定されて選別される。色彩選別機３８によって不良品として選別された白米Ｈ（例えば、天候や虫の害により茶色・黒色等に変色したもの）は、不良米袋４０に回収されて集積される。
【００３６】
一方、色彩選別機３８によって良品とされた白米Ｈは、昇降機４２によって持ち上げ搬送されて集積タンク２６へ送り出され、袋２７に集積されて、装置の利用者に提供される。
【００３７】
以上の工程が順次実施され、投入されたコインまたは挿入されたカードに応じた所定時間経過した後に装置が停止される。
【００３８】
このように、本第１の実施の形態に係る自動穀粒選別装置１０では、精米された白米Ｈ（換言すれば、装置の利用者が張込みホツパ１４へ投入した不良なものも含む籾米あるいは玄米をそのまま精米したもの）から、不良な白米Ｈ（天候や虫の害により茶色・黒色等に変色したもの）を除去し、良品としての白米Ｈのみを袋２７に集積して装置の利用者に提供することができる。したがって、装置の利用者のニーズに適切に対応することができる。
【００３９】
またしかも、この自動穀粒選別装置１０は、コイン精米所７０の側方に隣接して設置されているため、籾あるいは玄米を持ち込んだ利用者であってもその場で直ちにコイン精米所７０で精米処理して白米Ｈとし、しかる後に直ちに当該白米Ｈが不良品であるか否か又は白米群に不良品が含まれるか否かを自動穀粒選別装置１０によって判定して選別し、良品としての白米のみを得ることができる。したがって、装置の利用者のニーズに一層広範囲に対応することができる。
【００４０】
次に、本発明の第２の実施の形態を説明する。
【００４１】
なお、前記第１の実施の形態と基本的に同一の部品等については、前記第１の実施の形態と同一の符号を付与しその説明を省略する。
【００４２】
図５には、本発明の第２の実施の形態に係る自動穀粒選別装置８０の概略全体構成図が示されている。
【００４３】
自動穀粒選別装置８０は、前述した第１の実施の形態に係る自動穀粒選別装置１０と基本的に同一構造とされており、操作室８２Ａと機械室８２Ｂから成る屋外用建物１２を備えている。操作室８２Ａの前面壁に、玄米Ｇ（装置の利用者が選別したい不良なものを含むもの）が投入される張込みホツパ１４が操作室８２Ａに露出する状態で設けられている。この張込みホツパ１４は、玄米搬送用にピッチ等が設定されたスクリユウコンベア１５を内蔵しており、張込みホツパ１４へ投入され前記玄米Ｇはスクリユウコンベア１５によって機械室８２Ｂの内部へ搬送供給できる。
【００４４】
一方、機械室８２Ｂの内部には、スクリユウコンベア１５の終端部に対応して色彩選別機３８が配置されている。この色彩選別機３８は、スクリユウコンベア１５によって搬送供給された前記玄米Ｇを受け取り、当該玄米Ｇが不良品であるか否か又はこの玄米Ｇ群に不良品が含まれるか否かを判定して選別することができる。
【００４５】
また、この色彩選別機３８によって不良品として選別された玄米Ｇは、色彩選別機３８の側方に配置された不良米袋４０に回収されて集積される。この不良米袋４０は自由に取り替えることが可能である。
【００４６】
また一方、色彩選別機３８の良品とされた玄米Ｇの放出口３８Ａに対応して、昇降機４２が立設されている。昇降機４２は、色彩選別機３８の放出口３８Ａから取り出される良品としての玄米Ｇを、機械室８２Ｂの上部へ持ち上げ搬送できる。
【００４７】
また、昇降機４２の上端部に設けられた放出口４２Ａに対応した操作室８２Ａの前面壁には、集積タンク２６が操作室８２Ａに露出する状態で配置されており、選別処理後の良品としての玄米Ｇを袋２７に集積できる。
【００４８】
なお、操作室８２Ａの前面壁に設けられた操作パネル２８、及び制御装置５０等は、前述した第１の実施の形態に係る自動穀粒選別装置１０と基本的に同一構造とされている。
【００４９】
またさらに、以上の構成の自動穀粒選別装置８０は、前述した第１の実施の形態に係る自動穀粒選別装置１０とは異なり、図６に示す如く、それ単独で独立して設置されている。
【００５０】
次に本第２の実施の形態の作用を説明する。
【００５１】
上記構成の自動穀粒選別装置８０を利用する際には、コインをコイン金額識別部３０の投入口３４へ投入するか、カードをカード度数識別部３２の挿入口３６へ挿入すると共に、張込みホツパ１４へ玄米Ｇ（装置の利用者が選別したい不良なものも含むもの）を投入する。次いで、運転スイツチ（スタートボタン）を操作すると、張込みホツパ１４のスクリユウコンベア１５、色彩選別機３８、及び昇降機４２の各駆動モータが作動されて運転が開始される。
【００５２】
運転が開始されると、張込みホツパ１４へ投入された前記玄米Ｇは、スクリユウコンベア１５によって色彩選別機３８へ供給され、この色彩選別機３８によって、当該玄米Ｇが不良品であるか否か又はこの玄米Ｇ群に不良品が含まれるか否かが判定されて選別される。色彩選別機３８によって不良品として選別された玄米Ｇ（例えば、天候や虫の害により茶色・黒色等に変色したもの）は、不良米袋４０に回収されて集積される。
【００５３】
一方、色彩選別機３８によって良品とされた玄米Ｇは、昇降機４２によって持ち上げ搬送されて集積タンク２６へ送り出され、袋２７に集積されて、装置の利用者に提供される。
【００５４】
以上の工程が順次実施され、投入されたコインまたは挿入されたカードに応じた所定時間経過した後に装置が停止される。
【００５５】
このように、本第２の実施の形態に係る自動穀粒選別装置８０では、玄米Ｇ（換言すれば、装置の利用者が張込みホツパ１４へ投入した不良なものも含むもの）から、不良な玄米Ｇ（天候や虫の害により茶色・黒色等に変色したもの）を除去し、良品としての玄米Ｇのみを袋２７に集積して装置の利用者に提供することができる。したがって、装置の利用者のニーズに適切に対応することができる。
【００５６】
なお、前述した第１の実施の形態に係る自動穀粒選別装置１０においては、白米Ｈ（装置の利用者が張込みホツパ１４へ投入した不良なものも含む籾米あるいは玄米をそのまま精米したもの）から不良な白米Ｈを除去し、良品としての白米Ｈのみを取り出す構成とし、また、前述した第２の実施の形態に係る自動穀粒選別装置８０においては、玄米Ｇ（装置の利用者が張込みホツパ１４へ投入した不良なものも含むもの）から不良な玄米Ｇを除去し、良品としての玄米Ｇのみを取り出す構成としたが、本発明はこれに限らず、例えば大豆等の豆類であっても適用できる構成とすることができ、装置の利用者のニーズに適切に対応することができる。
【００５７】
【発明の効果】
以上説明した如く本発明に係る自動穀粒選別装置は、精米処理した後の白米、玄米、あるいは豆類等の穀粒のうち変色等した不良で不要なものを取り除き良品のみを装置の利用者に提供することができるという優れた効果を有している。
【図面の簡単な説明】
【図１】本発明の第１の実施の形態に係る自動穀粒選別装置の概略全体構成図である。
【図２】本発明の第１の実施の形態に係る自動穀粒選別装置の操作パネルの正面図である。
【図３】本発明の第１の実施の形態に係る自動穀粒選別装置の制御装置の構成図である。
【図４】本発明の第１の実施の形態に係る自動穀粒選別装置の設置状態を示す正面図である。
【図５】本発明の第２の実施の形態に係る自動穀粒選別装置の概略全体構成図である。
【図６】本発明の第２の実施の形態に係る自動穀粒選別装置の設置状態を示す正面図である。
【符号の説明】
１０    自動穀粒選別装置
１４    張込みホツパ
３８    色彩選別機
４２    昇降機
８０    自動穀粒選別装置
Ｈ      白米
Ｇ      玄米
【図１】
2004181271.tif 000003
【図２】
2004181271.tif 000004
【図３】
2004181271.tif 000005
【図４】
2004181271.tif 000006
【図５】
2004181271.tif 000007
【図６】
2004181271.tif 000008